(57)【要約】【課題】本発明は、アルミ等の金属材料を使用した鏡受け具内への水垢の浸入を防ぐことによって鏡受け具の腐食を防ぎ、又、鏡受け具の寸法のバラツキを解消し、更に、鏡受け具の小口部への取付作業が容易な、サイドキャップを提供することを課題とするものである。【解決手段】上記課題を解決するため、本発明は、鏡受け具の小口部（側端開口部）を塞ぐサイドキャップにフランジを設け、鏡受け具の端部を覆うようにしたものである。【選択図】図２
2004024779.tif 000002
【特許請求の範囲】
【請求項１】
鏡受け具の小口部に当接する側面板の周縁に、鏡受け具の端縁部を覆うフランジを形成したことを特徴とするサイドキャップ。
【請求項２】
鏡受け具の小口部に当接する側面板の内面に、鏡受け具に嵌合する部材を形成したことを特徴とする、請求項１記載のサイドキャップ。
【請求項３】
鏡受け具の小口部に当接する側面板の内面に、鏡受け具の内側面を強圧する突片を形成したことを特徴とする、請求項１記載のサイドキャップ。
【請求項４】
鏡受け具の小口部に当接する側面板の内面に、鏡受け具に支持された鏡板の側面を押さえる舌片を形成したことを特徴とする、請求項１〜３の何れか１記載のサイドキャップ。
【発明の詳細な説明】
【０００１】
【発明が属する技術分野】
本発明は、化粧室、浴室等の壁面などに鏡板を取り付ける際に使用される鏡受け具の小口部を塞ぐサイドキャップに関するものである。
【０００２】
【従来の技術】
従来より、化粧室、浴室等の壁面に鏡板を取り付ける際に使用されている鏡受け具の小口部にサイドキャップが設けられているものもあった。
図４は従来技術を示すもので、壁面Ｗに固定した取付金具Ａにより鏡板Ｂを取り付けた後、該取付金具Ａの側端開口を閉鎖するサイドキャップＣが取り付けられる。
該サイドキャップＣの側面板Ｃ１は、取付金具Ａの側面視外形状と略同形状の矩形板状に形成され、内面の外周縁部が取付金具Ａの側面に当接し、側面板Ｃ１内面の前端部に併設した突片Ｃ２が、取付金具Ａに内嵌され、突片Ｃ２に設けたネジ孔Ｃ３と取付金具Ａのネジ孔Ａ１に、固定ネジＤを螺合することにより、取付金具Ａの小口部にサイドキャップＣが取り付けられていた。
【０００３】
【発明が解決しようとする課題】
しかし、上記従来のサイドキャップＣは、取付金具Ａの側面視外形状と略同形状の側面板Ｃ１を、取付金具Ａの側面に当接する構造としているので、アルミ材等の金属材料を使用した取付金具Ａと、サイドキャップＣの側面板Ｃ１との間の僅かな隙間から浸入する水垢等により、取付金具Ａに設けたネジ孔Ａ１が汚れ、或いは小口部が汚れて、取付金具Ａの腐食する原因となっていた。
また、サイドキャップＣの側面板Ｃ１が、取付金具Ａの小口部に単に当接する構造であるので、取付金具Ａの寸法のバラツキを解消することができなかった。
更に、サイドキャップＣを取付金具Ａに取り付ける際、両者に設けたネジ穴Ａ１を貫通する固定ネジＤを使用しているので取り付け作業に時間を要していた。
【０００４】
本発明は、このような従来の問題点に鑑みてなされたもので、アルミ等の金属材料を使用した鏡受け具内への水垢の浸入を防ぐことによって鏡受け具の腐食を防ぎ、又、鏡受け具の寸法のバラツキを解消することができ、更に、鏡受け具の小口部への取付作業が容易な、サイドキャップを提供することを課題とするものである。
【０００５】
【課題を解決するための手段】
上記課題を解決するため、本発明は、鏡受け具の小口部（側端開口部）を塞ぐサイドキャップにより、鏡受け具の端縁部を覆うようにしたもので、具体的な構成は以下に示すとおりである。
【０００６】
具体的な構成１は、鏡受け具の小口部に当接する側面板の周縁に、鏡受け具の端縁部を覆うフランジを形成したことを特徴とする、サイドキャップである。
【０００７】
具体的な構成２は、鏡受け具の小口部に当接する側面板の内面に、鏡受け具に嵌合する部材を形成したことを特徴とする、サイドキャップである。
【０００８】
具体的な構成３は、鏡受け具の小口部に当接する側面板の内面に、鏡受け具の内側面を強圧する突片を形成したことを特徴とする、サイドキャップである。
【０００９】
具体的な構成４は、鏡受け具の小口部に当接する側面板の内面に、鏡受け具に支持された鏡板の側面を押さえる舌片を形成したことを特徴とする、サイドキャップである。
【００１０】
【発明の実施の態様】
以下、図面に基づき、本発明の実施例について説明する。
【００１１】
図１ａは、浴槽、洗い場等からなるユニットバスＵの壁面に、本発明のサイドキャップ１を嵌め込んだ鏡受け具２を使用して鏡板３を取り付けた正面図、
図１ｂは、ユニットバスＵの壁面に取り付けた鏡板３、該鏡板３の下部に連接したカウンター４を示す側面図、
図１ｃは、その鏡板３とカウンター４を拡大して示す正面図である。
【００１２】
ユニットバスＵの壁面に、壁面に固定した棒状部材から成るブラケット５により、カウンター４が支持され、該カウンター４の後端部（壁面側）に嵌合するようにして設置した下方の鏡受け具２と、鏡受け具２と同様の断面形状で上下逆にして設置した鏡保持具６がそれぞれ壁面に固定され、鏡受け具２と鏡保持具６により、鏡板３が取り付けられている。
【００１３】
また、壁面に固定された鏡受け具２、及び鏡保持具６の両端部に、本発明のサイドキャップ１が、その端部を覆うようにして、それぞれ取り付けられている。
【００１４】
図２は、ブラケットに支持されたカウンター４、棒状部材からなるブラケット５、カウンター４に連接した鏡受け具２、鏡受け具２に支持された鏡板３、鏡受け具２の両端部に嵌合する本発明のサイドキャップ１の斜視図が示されている。
【００１５】
図２ａは、鏡板３を支持した鏡受け具２の両端部に、サイドキャップ１を取り付ける前の状態を示す斜視図、図２ｂおよび図２ｃは、鏡受け具２に支持された鏡板３と、鏡受け具２に取り付けたサイドキャップ１との関係を示す斜視図、図２ｄは、鏡板３を支持した鏡受け具２の端部に、サイドキャップ１を取り付ける前の状態を示す斜視図、図２ｅは、鏡受け具２の左側面を示す斜視図である。
【００１６】
鏡受け具２は、アルミ材、ステンレス材、或いは硬質合成樹脂を押出成型した長尺材から成り、表面部２ａと底面部２ｂと裏面部２ｃとで断面略Ｕ字状に形成され、その内部で、表面部２ａと裏面部２ｃ間に鏡板３を載置する鏡載置部２ｄが形成されている。
底面部２ｂには、それぞれ適宜間隔で水抜き孔２ｅが設けられている。
【００１７】
さらに、表面部２ａから底面部２ｂにわたって、鏡板３の下部前方に取付けるカウンター４の後端部に嵌合する段部２ｆが設けられている。
【００１８】
本発明のサイドキャップ１は、上記した鏡受け具２の両端部を覆うようにして嵌合されるもので、以下サイドキャップ１について説明する。
サイドキャップ１は、鏡受け具２の小口部に当接する側面板１ａと、該側面板１ａの周縁部に、鏡受け具２の表面部２ａ、底面部２ｂ、裏面部２ｃの端部を覆う、表面板６ａ、底面板６ｂ、裏面板６ｃから成るフランジ６を、立設するようにして一体に形成されている。
サイドキャップ１の表面板１ａは、鏡受け具２の表面部２ａの形状に合わせ、カウンター４の後端部を嵌合させる段部６ｄが設けられている。
【００１９】
鏡受け具２の小口部に当接する側面板１ａの内側に、フランジ６を形成する表面板６ａと平行に鏡受け具表面部の裏面側を押圧する突起板７を設け、表面板６ａと突起板７とで、鏡受け具表面部２ａの端部を挟着することにより、サイドキャップ１が鏡受け具２の端部に嵌合され、表面板６ａ、底面板６ｂ、裏面板６ｃが、鏡受け具の表面部２ａ、底面部２ｂ、裏面部２ｃの外面側に当接される。
【００２０】
また、鏡受け具２の小口部に当接する側面板１ａの内側に、鏡受け具２で支持される鏡板３の裏面側に当接する鏡押さえ片８が一体に設けられている。
更に、鏡受け具２の小口部に当接する側面板１ａの内側で、上記鏡押さえ片８の背面から水平に、棒状板９が一体に設けられている。
【００２１】
図３は、上記した、鏡受け具２の端部を覆うサイドキャップ１の詳細図が示されている。
【００２２】
図３ａは、鏡受け具２の上面開口部より挿入した鏡板３は鏡載置部２ｄにより支持されており、該鏡板３と鏡受け具２の側端部を覆うようにして、鏡受け具２の小口部へ、サイドキャップ１を嵌め込んだ側面図を示すものである。
【００２３】
図３ｂは、サイドキャップ１の平面図を示すもので、小口部に当接する側面板１ａから棒状板９が一体に形成され、該棒状板９の側面から下方へ延びるようにして、鏡板３の裏面側に当接する鏡押さえ片８が設けられている。
また、側面板１ａの下端部、及び棒状板９と対向する側端部から、鏡受け具２を覆う底面板６ｂ、表面板６ａが、側面板１ａと一体に形成されている。
【００２４】
図３ｃは、鏡受け具２の小口部に当接する側面板１ａと、フランジ６を形成する表面板６ａと平行に、鏡受け具表面部２ａの裏面側を押圧する突起板７が一体に形成された、図３ｄのＢ−Ｂ断面図を示すものである。
サイドキャップは、鏡受け具の表面部を、上記した表面板と突起板で挟み付けるようにして、鏡受け具の側端部に嵌め込み、取り付けられる。
【００２５】
図３ｄは、サイドキャップ１を内側から見た側面図で、鏡受け具２の小口部に当接する側面板１ａの左右側端部、及び下端部から、フランジ６を形成する表面板６ａ、裏面板６ｃ及び底面板６ｂが一体に形成されている。
【００２６】
更に、サイドキャップ１を鏡受け具２の側端部に嵌め込んだ後、サイドキャップ１が鏡受け具２より外れ落ちるのを防ぐため、表面板６ａと平行な突起板７が側面板１ａと一体に設けられている。
【００２７】
また、鏡受け具２に嵌め込んだ鏡板３の緩みを防ぐために、鏡板３の背面より押圧する鏡押さえ片８が、側面板１ａに設けた棒状板９の側面から下方へ、その先端部は、鏡板側へ湾曲するようにして設けられている。
【００２８】
【発明の効果】
以上説明したように、鏡受け具の側端部に、本発明のサイドキャップを使用することにより、
ａ．鏡受け具の側端部が覆われるので、アルミ等の金属材料から成る鏡受け具を使用しても、小口部が水垢で汚れることがないので、鏡受け具の腐食を防ぐことができる。
ｂ．鏡受け具の側端部が覆われるので、鏡受け具の寸法のバラツキを解消することができる。
ｃ．鏡受け具との取り付けは、側面板に設けたフランジ及び突起板等で、鏡受け具の表面部等を狭持し、小口部へ嵌め込むだけであるので、取り付け作業が容易となる。
【図面の簡単な説明】
【図１】（ａ）ユニットバスの壁面に鏡板を取り付けた正面図を示すものである。
（ｂ）ユニットバスの壁面に鏡板を取り付けた側面図を示すものである。
（ｃ）鏡板とカウンター等の拡大正面図を示すものである。
【図２】（ａ）鏡板とカウンターを繋ぐ鏡受け具の両端部に設けるサイドキャップを示す斜視図である。
（ｂ）鏡受け具の端部に嵌め込んだサイドキャップを示す斜視図である。
（ｃ）鏡受け具の端部に嵌め込んだサイドキャップを示す斜視図である。
（ｄ）鏡受け具の端部に嵌め込むサイドキャップを示す斜視図である。
（ｄ）鏡受け具の端部に嵌め込むサイドキャップを示す斜視図である。
（ｅ）鏡受け具を示す斜視図である。
【図３】（ａ）鏡受け具と鏡板とサイドキャップを示す側面図である。
（ｂ）サイドキャップの平面図を示すものである。
（ｃ）サイドキャップの一部水平断面図である。
（ｄ）サイドキャップを内側から見た側面図である。
【図４】従来技術の斜視図を示すものである。
【符号の説明】
１　　サイドキャップ
１ａ　側面板
２　　鏡受け具
２ａ　表面部
２ｂ　底面部
２ｃ　裏面部
２ｄ　鏡載置部
２ｅ　水抜き孔
２ｆ　段部
３　　鏡板
４　　カウンター
５　　ブラケット
６　　フランジ
６ａ　表面板
６ｂ　底面板
６ｃ　裏面板
６ｄ　段部
７　　突起板
８　　鏡押さえ片
９　　棒状板
【図１】
2004024779.tif 000003
【図２】
2004024779.tif 000004
【図３】
2004024779.tif 000005
【図４】
2004024779.tif 000006